(57)【要約】      （修正有）【課題】  点灯中発生した熱のうちカバー内の熱を外部に効率よく放熱するための熱伝導性物質が硬化前に流れ出すことを抑制するとともに熱膨張などによる隣接する部品が受ける不具合の発生することを防止した電球形蛍光ランプ装置およびこのランプ装置を用いた照明器具を提供する。【解決手段】  屈曲したガラス管バルブ１３を有し、この蛍光ランプ１の端部側を支持したホルダ６と、このホルダ６に支持され上記蛍光ランプ１に電気的に接続する電子部品４１，…が接続された回路基板４２を有する点灯回路装置４と、一方側に口金８が、他方側に上記ホルダ６が取り付けられ内部に点灯回路装置４を収容するカバー２と、特定の電子部品４１の少なくとも一部をカバー２または口金８の内面に接触するよう介在された熱伝導性物質７とを備えていることを特徴とする。【選択図】  図１
2006093044.tif 000002
【特許請求の範囲】
【請求項１】
屈曲したガラス管バルブを有し、このバルブの端部に細管が設けられた蛍光ランプと；
この蛍光ランプの端部側を支持したホルダと；
このホルダに支持され上記蛍光ランプに電気的に接続する電子部品が接続された回路基板を有する点灯回路装置と；
一方側に口金が、他方側に上記ホルダが取り付けられ内部に点灯回路装置を収容するカバーと；
このカバー内において上記点灯回路装置を構成する特定の電子部品または／および細管の少なくとも一部を略囲うよう設けられた隔壁と；
特定の電子部品の少なくとも一部とカバーまたは口金の内面に接触するよう介在された熱伝導性物質と；
を具備していることを特徴とする電球形蛍光ランプ装置。
【請求項２】
上記隔壁が、カバーまたはホルダと一体または一体的に形成されていることを特徴とする請求項１に記載の電球形蛍光ランプ装置。
【請求項３】
器具本体と；
この器具本体に設けられたソケット装置と；
このソケット装置に装着された請求項１または２に記載の電球形蛍光ランプ装置と；
を具備していることを特徴とする照明器具。
【発明の詳細な説明】
【技術分野】
【０００１】
本発明は、屈曲したガラス管バルブを有する蛍光ランプおよび点灯回路装置を一体的に備えた電球形蛍光ランプ装置およびこの蛍光ランプ装置を用いた照明器具に関する。
【背景技術】
【０００２】
白熱電球に比べ明るく長寿命で、発熱量も少ない蛍光ランプは高効率・省エネルギーの光源としてよく知られているが、点灯するためには安定器などの点灯回路装置を必要としている。
【０００３】
この電球形蛍光ランプ装置を構成する蛍光ランプは、両端に電極を封装したガラス管バルブを略Ｕ字形に屈曲したり、この略Ｕ字形バルブをさらにもう一度略Ｕ字形に曲成させたいわゆる鞍形状であったりあるいはこの略Ｕ字形バルブや直管形のガラス管バルブを複数本、連結管を介し接続して小形化されている。
【０００４】
そして、この蛍光ランプおよび点灯回路部品を接続した回路基板などからなる点灯回路装置は合成樹脂材料からなるホルダに取付けられ、合成樹脂材料で成形したカバー内に収容されるとともに、蛍光ランプの大部分は透光性のガラスや合成樹脂材料で成形した上記カバーの開口部に取着された透光性のグローブで覆われている。
【０００５】
近年電球形蛍光ランプ装置は、高出力小形化が進につれて点灯回路装置の収納スペースもさらに狭小な密封空間となり、ますますカバー内の温度が上昇する傾向にある。
【０００６】
電球形蛍光ランプ装置に内蔵される点灯回路装置が電子部品から構成されたインバータ回路の場合には、比較的熱に弱い電子部品も実装されているので、これら部品を熱的に保護するためにもカバー内の熱を一層効率よく外部に放熱して、カバー内の温度を確実に下げる必要があり、カバー内の熱を放熱するためのシリコーン樹脂などの熱伝導性物質の具体的な仕様を本願出願人は先に特許文献１として出願した。
【０００７】
この特許文献１に記載のように熱伝導性物質などの仕様を規制することにより、電子部品の熱的保護を高め点灯回路装置の信頼性を高めることができた。
【０００８】
しかし、硬化前のシリコンは流動性を有しているため、ランプの細管（排気管など）などの機械的な強度が弱い部材に熱伝導性物質が接触した場合、熱収縮時の応力により損傷する虞がある。すなわち、電子部品に被覆や被覆しようとした熱伝導性物質が流出して、隣接する被覆が不可や不所望などの電子部品や細管などの部材が、熱伝導性物質中に埋没や付着すると好ましくないことがあった。
【特許文献１】特開２００４−６２０４号公報
【発明の開示】
【発明が解決しようとする課題】
【０００９】
本発明は、点灯中発生した熱のうちカバー内の熱を外部に効率よく放熱するための熱伝導性物質が硬化前に流れ出すことを抑制するとともに熱膨張などによる隣接する部品が受ける不具合の発生することを防止した電球形蛍光ランプ装置およびこのランプ装置を用いた照明器具を提供することを目的とする。
【課題を解決するための手段】
【００１０】
本発明の請求項１に記載の電球形蛍光ランプ装置は、屈曲したガラス管バルブを有し、このバルブの端部に細管が設けられた蛍光ランプと、この蛍光ランプの端部側を支持したホルダと、このホルダに支持され上記蛍光ランプに電気的に接続する電子部品が接続された回路基板を有する点灯回路装置と、一方側に口金が、他方側に上記ホルダが取り付けられ内部に点灯回路装置を収容するカバーと、このカバー内において上記点灯回路装置を構成する特定の電子部品または／および細管の少なくとも一部を略囲うよう設けられた隔壁と、特定の電子部品の少なくとも一部をカバーまたは口金の内面に接触するよう介在された熱伝導性物質とを具備していることを特徴としている。
【００１１】
この電球形蛍光ランプ装置は通電により点灯回路装置の電子部品およびランプ内の電極の発熱により、カバー内部の温度が高まるが、特に点灯中相対的に高温となる電子部品とカバーとは熱伝導性物質により接触しているため点灯中に発生した熱は熱伝導性物質を介してカバーへと伝わりカバーの外表面から放熱され、その温度を下げることができる。
【００１２】
このように熱伝導性物質を介しカバーに放熱させたい部品を隔壁により囲むことで、熱伝導性物質量を減らすことができる。また、隔壁により隣接する部品への熱伝導性物質の流入を阻止することができる。
【００１３】
また、細管を隔壁により電子部品と離間しておけば、細管が熱伝導性物質中に埋没したり付着すること抑制することができるので、細管にその応力を受けることはない。また、細管内にアマルガムが入っている場合などに熱伝導性物質による熱的影響を受けることが抑制されるのでアマルガムを最適な温度で動作させることができる。
【００１４】
なお、本発明ならびに以下の各発明において、特に指定しない限り用語の定義および技術的意味は次による。
【００１５】
本発明が適用できる蛍光ランプのバルブは、直管形のガラス管や略Ｕ字形をしたガラス管複数本を同一円周上に接続して配設したり、略Ｕ字形をしたガラス管をさらに略Ｕ字形に折曲したり、少なくとも一部に螺旋状部を有するようなスパイラルバルブなど、ガラス管により屈曲した１本の放電路が形成されたものである。
【００１６】
また、放電路両端には、電極が設けられたフレアステムやボタンステムなどのステムを用いた封止のほか圧潰封止などの形態を採用する。なお、屈曲バルブと連通可能な細管を有していても構わない。また、バルブ端部に設けられた細管は、バルブ内と連通可能に取り付けられている他、バルブ端部を延在させたものであっても構わない。さらに、この細管は点灯中の管内の水銀蒸気圧を制御するためのアマルガム封入用であっても、排気用であってもよい。
【００１７】
電極はフィラメントコイルなどを用いた熱陰極に限らず、冷陰極であってもよく、バルブを形成する中間部のガラス管に電極を設けても差支えない。
【００１８】
バルブ内に封入される放電媒体は、水銀あるいはアルゴン、キセノン、クリプトンやネオンなどの希ガスである。水銀を封入する場合は、液状水銀、水銀とインジウム、スズ、ビスマスや鉛などを成分とする水銀合金であるアマルガム、水銀と亜鉛やチタンなどとの水銀放出合金あるいはセラミックスやガラスなどで形成した多孔質状の基体中に水銀を含浸させた水銀ペレットなどであってもよい。また、水銀を封入せず希ガス発光によるランプであってもよい。
【００１９】
バルブの内面に形成される蛍光体膜は、３波長や５波長発光形などの希土類蛍光体や白色発光のハロリン酸塩蛍光体などを用いることができる。また、ガラス管内面と蛍光体膜との間にアルミナなどの保護膜を形成することは構わない。
【００２０】
蛍光ランプを支持するホルダは、たとえばポリブチレンテレフタレート（ＰＢＴ）などの電気絶縁性の耐熱合成樹脂材料で成形され、ランプと点灯回路装置とを区画する仕切りなどを兼ねるものであってもよく、ランプ以外にランプの点灯回路（電子）部品を接続した回路基板を有する点灯回路装置やグローブを一体的に支持することは構わない。
【００２１】
カバーは、たとえばポリブチレンテレフタレート（ＰＢＴ）などの電気絶縁性の耐熱合成樹脂材料あるいは電気絶縁性物質で表面が覆われた金属板でドーム状部分と口金が嵌挿される円筒状部が形成され、上記円筒状部の外周には口金が取着される構造となっている。たとえばこの円筒状部の形状は捩込み型（Ｅ型）口金が螺合される螺旋溝が形成してある。また、ホルダや点灯回路装置などを覆うドーム状部の形状は問わない。
【００２２】
上記カバーの内面側または／およびホルダには、部材との対応箇所に予めこれらを収容して囲う板体状などで形成した仕切りが一体に成形あるいは別体として形成した隔壁が接合や係止などの手段で設けられている。
【００２３】
たとえば隔壁は、カバーの一端側に位置する円筒状部から蛍光ランプ側である他端側に向かってカバー内壁面に略直角に突出するよう連続する１枚の板状に形成されていても、複数枚であってもよい。また、複数枚の板状の仕切りは、カバー中心軸方向に延在して複数の板状の仕切りとカバー内壁により多角形の中空の空間を形成するよう成形してもよい。また、隔壁が別体形成されている場合、たとえば２枚の仕切りにより略Ｖ字、略Ｕ字、略コ字、略円筒状などに形成された隔壁であってもよい。
【００２４】
この隔壁は遮蔽する部材の配設位置により、その作業性などを考慮して、カバーまたはホルダ（回路基板を含む）の少なくとも一方に設けておけばよく、カバーと同質の合成樹脂材料や電気絶縁を施した金属板などで形成できる。また、電子部品や細管などの被収容物が十分に入れる空間を有していればその形状は限定されない。
【００２５】
また、熱伝導性物質の流失抑制に加えて、隔壁により遮熱効果を高めたい場合には、熱伝導率の低い材質により形成してもよく、他の作用を奏するものであっても構わない。さらに、カバーに通気用またはシリコン注入用などの透孔が設けられていてもよい。
【００２６】
このランプを点灯させるインバータを用いた高周波点灯回路部品や巻線安定器を用いた点灯回路（電子）部品はフェノール樹脂やガラスエポキシ樹脂などからなる回路基板に直接設けられたり接続して点灯回路装置を構成し、この点灯回路装置の回路基板がホルダに固定されている。
【００２７】
熱伝導性物質は、シリコン樹脂などにアルミニウム（Ａｌ）、ケイ素（Ｓｉ）、チタン（Ｔｉ）やマグネシウム（Ｍｇ）からなる群のうち一種類の元素の酸化物（たとえばＡｌ2 Ｏ3 、ＳｉＯ2 、ＴｉＯ2 、ＭｇＯなど）、窒化物（たとえばＡｌＮ、Ｓｉ３Ｎ4 Ｏ2 など）や酸化水和物（たとえばＡｌ2 Ｏ3 ・ｎＨ2 Ｏ、ＳｉＯ2 、ＴｉＯ2 ・ｎＨ2 Ｏ、Ｍｇ（ＯＨ）2 など）の少なくとも一種からなるフィラーを０．１質量％以上添加したものを用いることで熱伝導率を高めることができる。
【００２８】
また、この熱伝導性物質は、電子部品表面とカバーや口金などそれぞれ熱接続することで点灯中の熱および電子部品が発する熱をカバーや口金から放熱する。
【００２９】
本発明の請求項２に記載の電球形蛍光ランプ装置は、上記隔壁が、カバーまたはホルダと一体または一体的に形成されていることを特徴としている。
【００３０】
高温となる電子部品や所定温度を維持する細管などの熱遮蔽を要する部材との対応するカバーの内面側または／およびホルダ（回路基板を含む）の表面には、予めこれらを収容して囲う板体状などで形成した隔壁（仕切り）が一体に成形あるいは別体として形成して接合や係止などの手段により設けることができる。
【００３１】
本発明の請求項３に記載の照明器具は、器具本体と、この器具本体に設けられたソケット装置と、このソケット装置に装着された請求項１または２に記載の電球形蛍光ランプ装置とを具備していることを特徴としている。
【００３２】
請求項１または２に記載の作用を奏する蛍光ランプ装置を備えているので、発光および寿命特性に優れランプ装置の交換などのメンテナンスなどの手間を低減できる。
【発明の効果】
【００３３】
本発明の請求項１の記載によれば、電子部品とカバーまたは口金を熱伝導性物質により接続しているので、点灯中発生した熱を効率よく放熱することができるので点灯回路装置などの温度を低下させるとともに内部の部品を熱的および機械的に保護して、部品の性能を長期に亘り安定に維持して、すなわち、発光特性がすぐれ長寿命化した電球形蛍光ランプ装置を提供できる。
【００３４】
また、カバー内に隔壁を設けているので熱伝導性物質が流出することを抑制できるとともに、熱伝導性物質を必要以上に多く使用することを抑制できる。
【００３５】
本発明の請求項２の記載によれば、構成が簡単な隔壁を容易に得ることができる。
【００３６】
本発明の請求項３の記載によれば、請求項１または２に記載の効果を奏する電球形蛍光ランプ装置を備えているので、発光および寿命特性に優れランプ装置の交換などのメンテナンスが容易な照明器具を提供できる。
【発明を実施するための最良の形態】
【００３７】
以下、本発明の実施の形態を図面を参照して説明する。図１は電球形蛍光ランプ装置Ｌの一部断面正面図、図２（ａ）、（ｂ）はカバーの正面図と底面図である。
【００３８】
図中１は蛍光ランプで、略Ｕ字形に屈曲したガラス管１１，…を３本、連結管１２，…を介し同一円周状に連結して１本の屈曲した放電路を形成したバルブ１３を有する。このバルブ１３両端のガラス管１１端部にはフィラメントコイルからなる電極（図示しない。）が設けられたステム（図示しない。）が封止られ、このステムに設けられた細管（排気管）１０が封止部から最冷部形成のため通常より長く突出している。また、ガラス管バルブ１３の内面には蛍光体膜（図示しない。）が形成され、内部に放電媒体として水銀およびアルゴンなどの希ガスが封入されている。
【００３９】
２はＰＢＴ樹脂などの電気絶縁性の耐熱性合成樹脂材料で成形されたカバーで、基端側に円筒状部２０を、他端側にドーム状部２１が形成してある。基端側の円筒状部２０は外径が口金８のシェル８１の内径と略同径で口金嵌挿部をなし外周にはＥ型の口金８が捩込むことにより取付けられ、スカート部８２の正対（１８０度離れた）する外方からポンチングして内方に押圧することにより（図示しない。）回動不能に係止固定している。
【００４０】
また、他端側のドーム状部２１内には仕切り３１，３１が一体成形され、外壁とで略三角錐状をなす隔壁３としてある。ドーム状部２１の開口部２２には、蛍光ランプ１を支持するとともにこのランプ１の点灯回路装置４およびグローブ５が取付けられるＰＢＴ樹脂などで形成したホルダ６が嵌め込みなどの手段で固定されている。
【００４１】
このホルダ６の下方の棚６１に形成された遊貫孔（図示しない。）内にはバルブ１３，…の端部が差し込まれ、シリコーン系などの熱硬化性接着剤を介して蛍光ランプ１が接合固定されている。このとき封止部から突出した細管１０の先端部は、上記ドーム状部２１内の仕切り３１，３１などで形成した隔壁３内に位置している。
【００４２】
また、点灯回路装置４を構成する、たとえばトランジスタインバータを用いた高周波点灯用の回路部品４１，…を実装した回路基板４２が上記ホルダ６に係止されているとともに、この回路基板４２に蛍光ランプ１の外部リード線１４、１４が電気的に接続されている。また、点灯回路装置４から導出した導線または外部リード線１４は、口金８のシェル８１とアイレット端子８３に接続されている。
【００４３】
そして、上記点灯回路装置４の電子部品４１，…で高温となるたとえばインダクタンスの周囲を包むとともにドーム状部２１の内面と接触するようたとえばシリコンを主成分としてカルシウムを２０質量％以上添加してなる熱伝導性物質７が充填されている。なお、この熱伝導性物質７の充填は複数個の電子部品４１，…に行ってもよい。この熱伝導性物質７の充填は、充填部に近いドーム状部２１に透孔をあけておき、この透孔を通じ行うことができ、熱伝導性物質７とカバー２の色を白色など同色としておくことにより孔の存在は目立たない。
【００４４】
また、光拡散性を有するガラスや合成樹脂材料で一端が開口し先端部が略半球状をしたなす型に形成されたグローブ５が複数本のガラス管１１，…からなる蛍光ランプ３を覆うようにして設けられている。このグローブ５は開口部５１の先端を、カバー２のドーム状部２１の開口部２２内壁およびこの開口部２２内に嵌め込まれたホルダ６外周部との間の円環状部に差込み、隙間にシリコーン系などの熱硬化性接着剤９を充填して接合したり両者に形成した凹凸部（図示しない。）を嵌合することにより固定してある。
【００４５】
上記のような構成とした電球形蛍光ランプ装置Ｌは、口金８部をソケット装置受金の螺旋溝へ捩込むことによって行われ、通常の定格電圧を印加することにより点灯させることができる。
【００４６】
そして、この電球形蛍光ランプ装置Ｌは通電により点灯回路装置４の回路部品４１，…およびランプ１内の電極の発熱により、カバー２とホルダ６で形成された内部の温度が高まるが、特に高い温度となるバラストチョークなどの電子部品４１には熱伝導性物質７が被覆してあり、発生した熱は熱伝導性物質７を通じてカバー２へと伝わりカバー２の外表面から放熱される結果、その温度を低減することができる。
【００４７】
また、上記バラストチョークなどの電子部品４１に熱伝導性物質７を被覆させる際、あるいは被覆後に熱伝導性物質７が飛散や流出しても蛍光ランプ１の細管１０の先端部が位置している部分は、仕切り３１，３１と外壁とで囲われてるので、これら仕切り３１，３１を越えて隔壁３内に熱伝導性物質７が侵入することを抑制している。
【００４８】
したがって、熱伝導性物質７は隔壁３により規制されるため、少量の熱伝導性物質７であっても接触を確実にすることができる。さらに、熱伝導性物質７の流出を抑制することで細管１０が熱伝導性物質７中に埋没したり、熱伝導性物質７が付着したりするなど細管１０は熱伝導性物質７と接触していないので、点灯中の熱影響を受けて熱伝導性物質７が熱膨張してもその圧力を受けて細管１０が損傷することを抑制することができる。
【００４９】
また、このランプ１の細管１０内にアマルガムなどが封入されている場合は、細管１０が熱伝導性物質７の伝導熱による影響がないので、最適な水銀蒸気圧を得ることができる。
【００５０】
また、仕切り３１，３１と外壁とで囲われた細管１０の先端部が位置している略三角錐状の隔壁３内は、隔壁３で熱が遮られることにより温度上昇がカバー２内より低い傾向にあるため、細管１０と隔壁３に囲まれた空間に延在させることで最冷部を確保し易くなる。
【００５１】
したがって、所望の発光特性を維持することができるとともに、強度の弱い細管１０は折損し易いが、隔壁３内に位置しているので他の物品などに当接することもなく保護されている。
【００５２】
なお、本発明は電球形蛍光ランプ装置において、上記実施の形態のように隔壁３は細管１００囲うものに限らず，点灯回路装置４の電子部品４１を隔壁３で囲って他の部品からの熱を受けるとか、他の部品に熱を与えるなどの熱的影響を遮断する作用を奏するものであってもよい。
【００５３】
また、このとき複数個の電子部品４１，…を個々に遮蔽しても、複数個を一体で遮蔽するようにしてもよく、また、隔壁３のドーム状部２１に通気のための透孔を設けることによって冷却効果をさらに高めることができる。
【００５４】
図３ないし図５は本発明の他の実施の形態を示し、図中、図１，２と同一部分には同一の符号を付してその説明は省略する。
【００５５】
図３（ａ）は点灯回路装置４の電子部品４１，…が設けられる回路基板４２（ホルダ６に支持されるもので、ここではホルダの一部とした。）の正面図、同（ｂ）は上面図で、この場合は回路基板４２に細管を覆うよう略Ｕ字形に折曲げた１枚の板状体の仕切り３１で形成した隔壁３が設けられている。この図３の場合も上記板状体３１，３１とカバー２のドーム状部２１とで囲われた隔壁３となり、内部に細管１０の先端側が位置して上記実施の形態と同様な作用効果を呈する。
【００５６】
また、図４（ａ）はホルダ６の正面図、同（ｂ）は上面図で、この場合はホルダ６に細管を覆うよう２枚の板状体３１，３１で形成した隔壁３が設けられている。また、図５はホルダ６から突出した細管１０の正面図で、この場合は細管の先端部分にシリコンなどからなる中空のチューブ３２を被せ隔壁３としている。これら図４および図５の場合も、上記図２，３に示す実施の形態と同様な作用効果を呈する。
【００５７】
なお、上記図３〜５では、いずれも隔壁３が細管１０を囲うものであったが、細管１０に限らず電子部品４１，…を囲う隔壁３であっても適用が可能であり上記実施の形態と同様の作用効果を奏するものである。
【００５８】
そして、この蛍光ランプ装置Ｌは、取付けられた口金の種類により電球などの点灯に用いられている照明器具などの汎用のソケット装置に装着して適宜、使用することができ、その照明器具も限定されるものではない。
【００５９】
なお、本発明は上記実施の形態に記載したものに限定されない。たとえばランプや点灯回路装置を支持するホルダやカバー、グローブあるいは相互部材の係合手段などの構成や形状はランプの形状や組込む部品などに応じて種々変形してもよい。また、温度上昇が高いランプ装置では、カバーなどに放熱用の通気孔を形成しておいてもよい。
【００６０】
また、上記実施の形態に示すカバー、グローブ、ホルダ、点灯回路装置の回路基板や蛍光ランプなどの表面に、直接あるいは紫外線吸収膜を介し酸化チタンなどからなる光触媒膜を形成しておくことによって、電球装置の内部で発生した汚染物質ガスを吸着分解して外部への汚染物質ガスの放散の低減がはかれる、種々の部材表面に付着した有機物などによる汚れを分解して汚損を防ぐとともに殺菌や消臭作用を行わせることができる。
【００６１】
また、グローブは必須のものではなく、グローブがない蛍光ランプが露出したランプ装置であってもよい。
【図面の簡単な説明】
【００６２】
【図１】本発明の実施の形態の電球形蛍光ランプ装置を示す一部断面正面図である。
【図２】図（ａ）、（ｂ）は図１中のカバーの正面図と底面図である。
【図３】本発明の実施の形態の点灯回路装置の電子部品が設けられる回路基板であって、図（ａ）は正面図、図（ｂ）は図（ａ）の上面図である。
【図４】本発明の実施の形態の点灯回路装置および蛍光ランプが設けられるホルダであって、図（ａ）は正面図、図（ｂ）は上面図である。
【図５】本発明の実施の形態の点灯回路装置および蛍光ランプが設けられるホルダおよびホルダから突出した細管の正面図である。
【符号の説明】
【００６３】
Ｌ：電球形蛍光ランプ装置、    １：蛍光ランプ、    １１：ガラス管、    １３：ガラス管バルブ、    ２：カバー、    ２０：円筒状部、    ２１：ドーム状部、    ３：隔壁、    ３１：隔壁    ４：点灯回路装置、    ４１：電子部品、    ４２：回路基板、    ５：グローブ、    ６：ホルダ、    ７：熱伝導性物質、    ８：口金、
【図１】
2006093044.tif 000003
【図２】
2006093044.tif 000004
【図３】
2006093044.tif 000005
【図４】
2006093044.tif 000006
【図５】
2006093044.tif 000007